(57)【要約】      （修正有）【課題】切断対象物である木、竹、樹脂等それぞれの材質が持つ硬さの部分的なバラツキに適合した切れ味の良い鋸刃を提供する。【解決手段】鋸身１の長手方向に切削刃１０である第１歯１１と第２歯１２と、除屑掘削刃２０である第３歯２１とを単位として複数配列形成した鋸刃において、前記第１歯１１と第２歯１２は、歯の先端に上目を形成し、第３歯２１は、歯の先端を角錐形成して構成される。【選択図】図１
0003174316.tif 000002
【実用新案登録請求の範囲】
【請求項１】
鋸身の長手方向に切削刃である第１刃、第２歯と、除屑掘削刃である第３歯とを単位として複数配列形成した鋸刃において、前記第１歯と第２歯は、歯の先端に上目を形成し、第３歯は、歯の先端を角錐形成して構成されることを特徴とする鋸刃。
【請求項２】
切削刃の第１歯と第２歯と単位として、その歯の単位を複数配列し、所定の歯数に対して除屑掘削刃である第３歯を混在させたことを特徴とする請求項１に記載の鋸刃。
【考案の詳細な説明】
【技術分野】
【０００１】  本考案は木工用、或は竹挽き用及び樹脂用鋸における鋸刃に関する。
【背景技術】
【０００２】  従来の鋸刃は、複数の列状刃先によって切断対象物の状態や切断方向、そして切削速度に合わせた刃先が形成され用いられてきた。
また特公平７−８５８８１号公報には、縦引き用の手引き鋸の鋸刃として、鋸の引き方向に対して面垂直な下刃を有する縦引き歯であり、その刃は、第１縦引き歯１と、第２縦引き歯２とに区別され、第１縦引き歯１は、左右に振り分ける２刃で形成され、第２縦引き歯２は、刃の先端部を鋭利な尖頭状の上目１２ｂに削成し、前記第１縦引き歯１の所定目数ごとに挿入して形成された鋸刃が提供されている（特許文献１）。
また特開２００２−３２１２０２号公報には、アサリ振りした先端に上目８を削成したアサリ歯２と、最先端５に略同一線状の刃付部４を形成した切り歯３とで形成され、前記アサリ歯２を配列する中に、歯の先端が該アサリ歯２より突出する前記切り歯３を混在配置して構成された鋸刃が提供されている（特許文献２）。
【先行技術文献】
【特許文献】
【０００３】
【特許文献１】  特公平７−８５８８１号公報
【特許文献２】  特開２００２−３２１２０２号公報
【考案の概要】
【考案が解決しようとする課題】
【０００４】  また特許文献１に示す鋸刃の場合、前記第１縦引き歯１の配列が前記第２縦引き歯２の挿入配列数より多いため、切断機能が不十分となり、木材を縦引きする場合は切断が出来ても、切れ味が悪いため他の切断物を軽快に切断し難いことや、力を入れて切断しないといけない問題がある。
また特許文献２に示す鋸刃の場合、前記切り歯３が前記アサリ歯２よりも突出しているため、木材などを切断する時に歯の高低差によって鋸が上下に跳ねるようになり、鋸を挽く際、力を入れて切断なければならない不便さや、その切断において何度も引っ掛かかり切れ味が悪いなどの問題があった。【０００５】  そこで本考案は上記従来技術の問題を解消し、切断対象物である木、竹、樹脂等、硬さにそれぞれの特性を持つ材質に対し、部分的な硬さのバラツキに幅広く適合した切れ味の良い鋸刃の提供を課題とする。
【課題を解決するための手段】
【０００６】  上記課題を達成するため本考案の鋸刃は、鋸身の長手方向に切削刃である第１歯と第２歯と、除屑掘削刃である第３歯とを単位として複数配列形成した鋸刃において、前記第１歯と第２歯は、歯の先端に上目を形成し、第３歯は、歯の先端を角錐形成して構成されることを第１の特徴としている。
また本考案の鋸刃は、上記第１の特徴に加えて、切削刃の第１歯と第２歯とを単位として、その歯の単位を複数配列し、所定の歯数に対して除屑掘削刃である第３歯を混在させたことを第２の特徴としている。
【考案の効果】
【０００７】  請求項１に記載の鋸刃によれば、鋸身の長手方向に切削刃である第１歯と第２歯と、除屑掘削刃である第３歯とを単位として複数配列形成した鋸刃において、前記第１歯と第２歯は、歯の先端に上目を形成し、第３歯は、歯の先端を角錐形成して構成される。
前記第１歯と前記第２歯とが切削刃となり、切り始めの歯の掛かり具合と挽き切り具合が良く、硬さに固有のバラツキを持っている被切断物でもスムースに切断することができる。
更に第３歯によって、第１歯と第２歯とで挽き切る部分と少し離間しながら、第３歯の角錐形状の部分が条溝を作ることで、前記第１歯と前記第２歯とによって条溝を付けたところを堀下げながら残った挽き粉をかき出すことができるので、従来より切り粉の掃けが良く、切断スピードが向上する。【０００８】  また請求項２に記載の鋸刃によれば、請求項１に記載の構成による作用効果に加えて、切削刃の第１歯と第２歯と単位として、その歯の単位を複数配列し、所定の歯数に対して除屑掘削刃である第３歯を混在させたので、
前記第１歯と前記第２歯とを単位とする歯の単位に対し、第３歯の数を増やすことで、硬い切断物に対しても切断スピードを上げる鋸刃にすることができる。
【図面の簡単な説明】
【０００９】
【図１】  本考案の実施形態に係る鋸刃を示す側面図である。
【図２】  本考案の実施形態に係る鋸刃の構成を示すＡ−Ａ線断面図である。
【図３】  本考案の第２実施形態に係る鋸刃を示す側面図である。
【考案を実施するための最良の形態】
【００１０】  図１、図２を参照して、本考案の鋸刃は、鋸身１は、切削刃１０と、除屑掘削刃２０とが構成され、前記切削刃１０は、第１歯１１と第２歯１２とを形成して構成され、前記除屑掘削刃２０は、その形状が角錐刃２０ａとなって、第３歯２１を形成して構成される。【００１１】  切削刃１０は、その切断可能な材質を木、竹、樹脂等として構成されている。【００１２】  第１歯１１は、切断物に掛かり易くなる上目１１ａを歯の先端に形成して構成される。
よって第１歯１１は、切り始めの刃の掛かり具合と挽き切り具合が良く、それぞれの特性を持つ被切削材質に対し、部分的な硬さのバラツキに幅広く適合する様切断し易く形成されている。【００１３】  第２歯１２は、前記第１歯１１と同形状の歯で裏面向きに構成される。そして歯の先端に切断物に掛かり易くなる上目１２ａを形成して構成される。
よって、第２は１２は、前記１歯１１と共に切り始めの刃の掛かり具合と挽き切り具合が良く、それぞれの特性を持つ被切削材質に対し、部分的な硬さのバラツキに幅広く適合する様切断し易く形成されている。【００１４】  また図３を参照して、上記第１の特徴に加えて、切削刃の第１歯と第２歯とを単位として、その歯の単位を複数配列し、所定の歯数に対して除屑掘削刃である第３歯を混在させて構成することができる。これによって、第１歯と第２歯との歯数が増えることで硬い切断物に有用な鋸刃にすることができる。【００１５】  除屑掘削刃２０は、切削刃１０の第１歯１１と第２歯１２が被切断物を切削して、切削条溝から排出された切屑を除きながら削る刃として構成される。【００１６】  第３歯２１は、歯の先端に角錐状となる角錐歯２１ａを形成している。これによって前記第１歯と前記第２歯とで挽き切る部分と少し離間し、第３歯の角錐形状の部分が条溝を作りながら残った挽き粉をかき出することができるので、切り粉の掃けが良く切断スピード実現することができる。
【符号の説明】
【００１７】  １    鋸身
１０    切削刃
１１    第１歯
１１ａ  上目
１２    第２歯
１２ａ  上目
２０    除屑掘削刃
２１    第３歯
２１ａ  角錐歯
【図１】
0003174316.tif 000003
【図２】
0003174316.tif 000004
【図３】
0003174316.tif 000005